(57)【要約】【課題】  無線通信システムにおいてＳＦＩ衝突を処理するための方法及び装置を提供する。【解決手段】  ネットワークノードの観点からの方法及び装置が開示される。一実施形態では、本方法は、ネットワークノードが第１のスロットフォーマット情報（ＳＦＩ）をユーザ機器（ＵＥ）に送信するステップを含む。第１のＳＦＩは第１のスロットセットのシンボルの送信方向を示す。本方法は、ネットワークノードがグループ共通物理ダウンリンク制御チャネル（ＰＤＣＣＨ）によって搬送される第２のＳＦＩをＵＥに送信するステップも含む。第２のＳＦＩは第２のスロットセットのシンボルの送信方向を示す。第１のＳＦＩ及び第２のＳＦＩが時間領域において部分的に重複し、第２のＳＦＩは第１のＳＦＩの後に送信され、第２のＳＦＩによって示される重複シンボルの送信方向は第１のＳＦＩによって示される重複シンボルの送信方向に合わせられる。【選択図】  図１３
2019036951.tif 000002
【特許請求の範囲】
【請求項１】
ネットワークノードの方法であって、
第１のスロットフォーマット情報（ＳＦＩ）をユーザ機器（ＵＥ）に送信するステップであって、該第１のＳＦＩは、第１のスロットセットのシンボルの送信方向を示す、送信するステップと、
グループ共通物理ダウンリンク制御チャネル（ＰＤＣＣＨ）によって搬送される第２のＳＦＩを前記ＵＥに送信するステップであって、該第２のＳＦＩは、第２のスロットセットのシンボルの送信方向を示す、送信するステップと、を含み、
前記第１のスロットセット及び前記第２のスロットセットが時間領域において部分的に重複し、前記第２のＳＦＩが前記第１のＳＦＩの後に送信される場合、前記第２のＳＦＩによって示される重複シンボルの送信方向は、前記第１のＳＦＩによって示される前記重複シンボルの送信方向に合わせられる、方法。
【請求項２】
前記第１のＳＦＩ及び前記第２のＳＦＩは、異なるビーム又は異なる送受信ポイント（ＴＲＰ）を介して送信される、請求項１に記載の方法。
【請求項３】
前記第１のＳＦＩ及び前記第２のＳＦＩは、異なるビームのためのものである、請求項１に記載の方法。
【請求項４】
前記第１のＳＦＩ及び前記第２のＳＦＩは、同じセルのためのものである、請求項１に記載の方法。
【請求項５】
前記セルは、周波数分割複信（ＦＤＤ）又は対スペクトルで動作する、請求項４に記載の方法。
【請求項６】
前記第１のＳＦＩ及び前記第２のＳＦＩは、コンポーネントキャリアベースごと、ヌメロロジベースごと、又は帯域幅部分ベースごとで指示される、請求項１に記載の方法。
【請求項７】
シンボルの送信方向は、ダウンリンク、アップリンク、又はフレキシブルとして指示される、請求項１に記載の方法。
【請求項８】
前記第２のＳＦＩによって示される前記重複シンボルの送信方向は、前記第１のＳＦＩによって示される前記重複シンボルの送信方向と異なることが許容されない、請求項１に記載の方法。
【請求項９】
前記第１のＳＦＩは、前記グループ共通ＰＤＣＣＨによって搬送される、請求項１に記載の方法。
【請求項１０】
前記第１のＳＦＩは、ＵＥ固有のダウンリンク制御情報（ＤＣＩ）によって搬送される、請求項１に記載の方法。
【請求項１１】
ネットワークノードであって、
制御回路と、
前記制御回路に設けられたプロセッサと、
前記制御回路に設けられ、前記プロセッサに結合されたメモリと、を含み、
前記プロセッサは、前記メモリに記憶されたプログラムコードを実行して、
第１のスロットフォーマット情報（ＳＦＩ）をユーザ機器（ＵＥ）に送信するステップであって、該第１のＳＦＩは、第１のスロットセットのシンボルの送信方向を示す、送信するステップと、
グループ共通物理ダウンリンク制御チャネル（ＰＤＣＣＨ）によって搬送される第２のＳＦＩを前記ＵＥに送信するステップであって、該第２のＳＦＩは、第２のスロットセットのシンボルの送信方向を示す、送信するステップと、を行い、
前記第１のスロットセット及び前記第２のスロットセットが時間領域において部分的に重複し、前記第２のＳＦＩが前記第１のＳＦＩの後に送信される場合、前記第２のＳＦＩによって示される重複シンボルの送信方向は、前記第１のＳＦＩによって示される前記重複シンボルの送信方向に合わせられる、ネットワークノード。
【請求項１２】
前記第１のＳＦＩ及び前記第２のＳＦＩは、異なるビーム又は異なる送受信ポイント（ＴＲＰ）を介して送信される、請求項１１に記載のネットワークノード。
【請求項１３】
前記第１のＳＦＩ及び前記第２のＳＦＩは、異なるビームのためのものである、請求項１１に記載のネットワークノード。
【請求項１４】
前記第１のＳＦＩ及び前記第２のＳＦＩは、同じセルのためのものである、請求項１１に記載のネットワークノード。
【請求項１５】
前記セルは、周波数分割複信（ＦＤＤ）又は対スペクトルで動作する、請求項１４に記載のネットワークノード。
【請求項１６】
前記第１のＳＦＩ及び前記第２のＳＦＩは、コンポーネントキャリアベースごと、ヌメロロジベースごと、又は帯域幅部分ベースごとで指示される、請求項１１に記載のネットワークノード。
【請求項１７】
シンボルの送信方向は、ダウンリンク、アップリンク、又はフレキシブルとして指示される、請求項１１に記載のネットワークノード。
【請求項１８】
前記第２のＳＦＩによって示される前記重複シンボルの送信方向は、前記第１のＳＦＩによって示される前記重複シンボルの送信方向と異なることが許容されない、請求項１１に記載のネットワークノード。
【請求項１９】
前記第１のＳＦＩは、前記グループ共通ＰＤＣＣＨによって搬送される、請求項１１に記載のネットワークノード。
【請求項２０】
前記第１のＳＦＩは、ＵＥ固有のダウンリンク制御情報（ＤＣＩ）によって搬送される、請求項１１に記載のネットワークノード。
【発明の詳細な説明】
【技術分野】
【０００１】
本願は、２０１７年８月１０日に出願された米国仮特許出願第６２／５４３，９２９号の利益を主張するものであり、そのすべての開示は全体として参照により本明細書に援用される。
【０００２】
この開示は、概して、無線通信ネットワークに関連し、より詳細には、無線通信システムにおいてＳＦＩ衝突を処理するための方法及び装置に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、及びオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰ及びマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展及び確定に向けて検討されている。
【発明の概要】
【０００５】
ネットワークノードの観点からの方法及び装置が開示される。一実施形態では、本方法は、ネットワークノードが第１のスロットフォーマット情報（ＳＦＩ）をユーザ機器（ＵＥ）に送信するステップを含む。第１のＳＦＩは第１のスロットセットのシンボルの送信方向を示す。本方法は、ネットワークノードがグループ共通物理ダウンリンク制御チャネル（ＰＤＣＣＨ）によって搬送される第２のＳＦＩをＵＥに送信するステップも含む。第２のＳＦＩは第２のスロットセットのシンボルの送信方向を示す。第１のスロットセット及び第２のスロットセットが時間領域において部分的に重複し、第２のＳＦＩが第１のＳＦＩの後に送信される場合、第２のＳＦＩによって示される重複シンボルの送信方向は、第１のＳＦＩによって示される重複シンボルの送信方向に合わせられる。
【図面の簡単な説明】
【０００６】
【図１】例示的な一実施形態による無線通信システムの図を示す。
【図２】例示的な一実施形態による送信機システム（アクセスネットワークとしても知られている）及び受信機システム（ユーザ機器又はＵＥとしても知られている）のブロック図である。
【図３】例示的な一実施形態による通信デバイスの機能ブロック図である。
【図４】例示的な一実施形態による図３のプログラムコードの機能ブロック図である。
【図５】３ＧＰＰ  ＴＳ  ３６．２１３  ｖ１４．３．０の表７．１−１の再現である。
【図６】３ＧＰＰ  ＴＳ  ３６．２１３  ｖ１４．３．０の表７．１−２の再現である。
【図７】３ＧＰＰ  ＴＳ  ３６．２１３  ｖ１４．３．０の表７．１−３の再現である。
【図８】例示的な一実施形態による図である。
【図９】例示的な一実施形態による図である。
【図１０】例示的な一実施形態による図である。
【図１１】例示的な一実施形態による図である。
【図１２】例示的な一実施形態による図である。
【図１３】例示的な一実施形態によるフローチャートである。
【図１４】例示的な一実施形態によるフローチャートである。
【発明を実施するための形態】
【０００７】
以下に説明する例示的な無線通信システム及びデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、３ＧＰＰ  ＮＲ（New  Radio：新しい無線）又はその他何らかの変調技術に基づいてよい。
【０００８】
特に、以下に説明する例示的な無線通信システム及びデバイスは、本明細書において３ＧＰＰと呼ばれる「第３世代パートナーシッププロジェクト」という名称のコンソーシアムにより提示される標準などの１つ以上の標準をサポートするように設計されてよく、その標準は、TSG  RAN  WG1  AH  Meeting  #1701  RAN1  Chairman’s  Notes、TSG  RAN  WG1  Meeting  #88b  RAN1  Chairman’s  Notes、TSG  RAN  WG1  Meeting  #89  RAN1  Chairman’s  Notes、TSG  RAN  WG1  AH  Meeting  #1706  RAN1  Chairman’s  Notes、R1-1710476,  “UE  behavior  related  to  group-common  PDCCH”,  Huawei  and  HiSilicon,  Qingdao,  China,  27-30  June,  2017、TR  38.802  v14.1.0,  “Study  on  New  Radio,  Access  Technology,  Physical  Layer  Aspects”、TR  38.913  v14.0.0,  “Study  on  Scenarios  and  Requirements  for  Next  Generation  Access  Technologies”、R1-1711184,  “Contents  of  group  common  PDCCH”,  Qualcomm  Incorporated,  Qingdao,  China,  27-30  June,  2017、及びTS  36.213  v14.3.0,  “E-UTRA  Physical  layer  procedures”を含む。
【０００９】
さらに、以下に説明する例示的な無線通信システム及びデバイスは、本明細書においてＫＴ  ５Ｇ−ＳＩＧと呼ばれる「KT  PyeongChang  5G  Special  Interest  Group」という名称のコンソーシアムにより提示される標準などの１つ以上の標準をサポートするように設計されてもよく、その標準は、TS  5G.213  v1.9,  “KT  5G  Physical  layer  procedures  (Release  1)”、TS  5G.321  v1.2,  “KT  5G  MAC  protocol  specification  (Release  1)”、TS  5G.211  v2.6,  “KT  5G  Physical  channels  and  modulation  (Release  1)”、及びTS  5G.331  v1.0,  “KT  5G  Radio  Resource  Control  (RRC)  Protocol  specification  (Release  1)”を含む。
【００１０】
上記に挙げた標準及び文書は、全体として参照により本明細書に明示的に援用される。
【００１１】
図１は、本発明の一実施形態に係る多重アクセス無線通信システムを示している。アクセスネットワーク１００（ＡＮ）は、複数のアンテナグループを含み、あるグループは１０４及び１０６、別のグループは１０８及び１１０、また別のグループは１１２及び１１４を含む。図１においては、各アンテナグループに対して、アンテナが２つしか示されていないが、より多くの又はより少ないアンテナが各アンテナグループに利用されてよい。アクセス端末１１６（ＡＴ）は、アンテナ１１２及び１１４と通信しており、アンテナ１１２及び１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６及び１０８と通信しており、アンテナ１０６及び１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、及び１２６は通信に異なる周波数を使用してよい。例えば、順方向リンク１２０では、逆方向リンク１１８によって使用される周波数とは異なる周波数を使用してよい。
【００１２】
アンテナの各グループ及び／又はアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１３】
順方向リンク１２０及び１２６を介した通信において、アクセスネットワーク１００の送信アンテナは、異なるアクセス端末１１６及び１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１４】
アクセスネットワーク（ＡＮ）は、端末と通信するのに使用される固定局又は基地局でよく、アクセスポイント、ノードＢ、基地局、拡張型基地局、進化型ノードＢ（ｅＮＢ）、又はその他何らかの専門用語で呼ばれることもある。アクセス端末（ＡＴ）は、ユーザ機器（ＵＥ）、無線通信デバイス、端末、アクセス端末、又はその他何らかの専門用語で呼ばれることもある。
【００１５】
図２は、ＭＩＭＯシステム２００における送信機システム２１０（アクセスネットワークとしても知られている）及び受信機システム２５０（アクセス端末（ＡＴ）又はユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１６】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、及びインターリーブして、符号化データを提供する。
【００１７】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロット及び符号化データは、データストリームに対して選択された特定の変調方式（例えば、ＢＰＳＫ、ＱＰＳＫ、Ｍ−ＰＳＫ、又はＭ−ＱＡＭ）に基づいて変調（すなわち、シンボルマッピング）されて、変調シンボルを提供する。各データストリームについてのデータレート、符号化、及び変調は、プロセッサ２３０により実行される命令によって決定されてよい。
【００１８】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボル及びシンボルが送信されているアンテナに適用する。
【００１９】
各送信機２２２は、各シンボルストリームを受信及び処理して１つ以上のアナログ信号を提供し、さらに、アナログ信号を調節（例えば、増幅、フィルタリング、及びアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００２０】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、及びダウンコンバート）して、調節された信号をデジタル化してサンプルを与え、さらに、これらのサンプルを処理して対応する「受信」シンボルストリームを提供する。
【００２１】
そして、ＲＸデータプロセッサ２６０は、特定の受信機処理技術に基づいて、ＮＲ個の受信機２５４からのＮＲ個の受信シンボルストリームを受信及び処理して、ＮＴ個の「検出」シンボルストリームを提供する。そして、ＲＸデータプロセッサ２６０は、各検出シンボルストリームを復調、デインターリーブ、及び復号して、データストリームについてのトラフィックデータを復元する。ＲＸデータプロセッサ２６０による処理は、送信機システム２１０でのＴＸ  ＭＩＭＯプロセッサ２２０及びＴＸデータプロセッサ２１４により実行される処理と相補的である。
【００２２】
プロセッサ２７０は、どのプリコーディングマトリクス（後述）使用するかを定期的に決定する。プロセッサ２７０は、マトリクス指標部及びランク値部を含む逆方向リンクメッセージを構築する。
【００２３】
逆方向リンクメッセージは、通信リンク及び／又は受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２４】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２５】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６及び１２２又は図１の基地局（若しくはＡＮ）１００を実現するのに利用可能であり、無線通信システムは、ＮＲシステムであることが好ましい。通信デバイスは、入力デバイス３０２、出力デバイス３０４、制御回路３０６、中央演算処理装置（ＣＰＵ）３０８、メモリ３１０、プログラムコード３１２、及びトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像及び音声を出力することができる。トランシーバ３１４は、無線信号を受信及び送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２６】
図４は、本発明の一実施形態による図３に示すプログラムコード３１２の簡易ブロック図である。本実施形態において、プログラムコード３１２は、アプリケーションレイヤ４００、レイヤ３部４０２、及びレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２７】
３ＧＰＰ  ＴＳＧ  ＲＡＮ  ＷＧ１  ＡＨ  Ｍｅｅｔｉｎｇ＃１７０１  ＲＡＮ１  Ｃｈａｉｒｍａｎ’ｓ  Ｎｏｔｅｓで論じられているように、ＲＡＮ１は、以下のようにグループ共通ＰＤＣＣＨに関するいくつかの合意をしている。
（外１）
2019036951.tif 000003
【００２８】
３ＧＰＰ  ＴＳＧ  ＲＡＮ  ＷＧ１  Ｍｅｅｔｉｎｇ  ＃８８ｂ  ＲＡＮ１  Ｃｈａｉｒｍａｎ’ｓ  Ｎｏｔｅｓで論じられているように、以下のようにスロットフォーマット指示に対していくつかの同意がされている。
（外２）
2019036951.tif 000004
【００２９】
３ＧＰＰ  ＴＳＧ  ＲＡＮ  ＷＧ１  Ｍｅｅｔｉｎｇ  ＃８９  ＲＡＮ１  Ｃｈａｉｒｍａｎ’ｓ  Ｎｏｔｅｓは、グループ共通物理ダウンリンク制御チャネル（ＧＣ  ＰＤＣＣＨ）について以下の同意を記載している。
（外３）
2019036951.tif 000005
【００３０】
３ＧＰＰ  ＴＳＧ  ＲＡＮ  ＷＧ１  ＡＨ  Ｍｅｅｔｉｎｇ  ＃１７０６  ＲＡＮ１  Ｃｈａｉｒｍａｎ’ｓ  Ｎｏｔｅｓで論じられているように、ＲＡＮ１は、以下のようにＧＣ  ＰＤＣＣＨを監視するためのコアセットについて同意している。
（外４）
2019036951.tif 000006
【００３１】
３ＧＰＰ  Ｒ１−１７１０４７６で論じられているように、ＧＣについて企業の議論は以下のベースに基づいて定義することができる。
（外５）
2019036951.tif 000007
【００３２】
３ＧＰＰ  ＴＲ  ３８．８０２は制御チャネルについて以下の概念を記載している。
（外６−１）
2019036951.tif 000008
（外６−２）
2019036951.tif 000009
【００３３】
３ＧＰＰ  ＴＲ  ３８．９１３はＵＲＬＬＣ（超高信頼低遅延通信）の以下の目標を記載している。
（外７−１）
2019036951.tif 000010
（外７−２）
2019036951.tif 000011
【００３４】
３ＧＰＰ  Ｒ１−１７１１１８４は、ＳＦＩコンテンツについて以下の例を提示している。
（外８−１）
2019036951.tif 000012
（外８−２）
2019036951.tif 000013
【００３５】
ＫＴ  ５Ｇ−ＳＩＧ  ＴＳ  ３６．２１３は、以下のようにＤＬ共通信号（例えば、システム情報、ページング、又はＲＡＲ）及びＵＬ制御信号を記載している。
（外９）
2019036951.tif 000014
［“PDCCH  and  PDSCH  configured  by  SI-RNTI”と題する、３ＧＰＰ  ＴＳ  ３６．２１３  ｖ１４．３．０の表７．１−１は、図５として再現されている。］
（外１０）
2019036951.tif 000015
［“PDCCH  and  PDSCH  configured  by  P-RNTI”と題する、３ＧＰＰ  ＴＳ  ３６．２１３  ｖ１４．３．０の表７．１−２は、図６として再現されている。］
（外１１）
2019036951.tif 000016
［“PDCCH  and  PDSCH  configured  by  RA-RNTI”と題する、３ＧＰＰ  ＴＳ  ３６．２１３  ｖ１４．３．０の表７．１−３は、図７として再現されている。］
（外１２）
2019036951.tif 000017
【００３６】
以下の専門用語及び仮定の一部又は全部を以後使用してよい。
・ＢＳ：１つ以上のセルに関連付けられた１つ以上のＴＲＰを制御するために使用される、ＮＲにおけるネットワーク中央ユニット又はネットワークノードである。ＢＳとＴＲＰとの間の通信はフロントホール（fronthaul）を介する。ＢＳは、中央ユニット（ＣＵ）、ｅＮＢ、ｇＮＢ、又はＮｏｄｅＢと呼ぶこともできる。
・ＴＲＰ：ネットワークカバレッジを提供し、ＵＥと直接通信する送受信ポイントである。ＴＲＰは、分散ユニット（ＤＵ）又はネットワークノードと呼ぶこともできる。
・セル：セルは、１つ以上の関連付けられたＴＲＰから構成される。すなわち、セルのカバレッジは、すべての関連付けられたＴＲＰのカバレッジから構成される。１つのセルは１つのＢＳによって制御される。セルは、ＴＲＰグループ（ＴＲＰＧ）と呼ぶこともできる。
・ＮＲ−ＰＤＣＣＨ：ＵＥとネットワークの間の通信を制御するためのダウンリンク制御信号を搬送するチャネルである。ネットワークは、設定された制御リソースセット（コルセット）でＮＲ−ＰＤＣＣＨをＵＥに送信する。
・ＵＬ制御信号：少なくとも、ダウンリンク伝送のためのスケジューリング要求（ＳＲ）、チャネル状態情報（ＣＳＩ）、ＨＡＲＱ−ＡＣＫ／ＮＡＣＫを含む。
・スロット：ＮＲにおけるスケジューリングユニットである。スロット持続時間は、通常のサイクリックプレフィックス（ＮＣＰ）を用いた最大６０ｋＨｚのサブキャリア間隔（ＳＣＳ）を考慮すると、７又は１４ＯＦＤＭシンボルである。スロット持続時間は、ＮＣＰを用いて６０ｋＨｚより高いＳＣＳを考慮すると、１４ＯＦＤＭシンボルである。
・スロットフォーマット情報（ＳＦＩ）：あるスロットにおいてシンボルの送信方向を定義するために使用される情報である。送信方向は、ダウンリンク、アップリンク、又は未知としてよい。
・ＤＬ共通信号：システム情報、ページング、ＲＡＲを搬送するデータチャネルである。
・ＤＬ  ＵＲＬＬＣ：ＵＥは、コルセットで設定されて、ＤＬ  ＵＲＬＬＣ伝送を示すＤＬ  ＵＲＬＬＣ制御を監視する。コルセットは、スロットの中央シンボルで設定することができる。ＤＬ  ＵＲＬＬＣ伝送は、コルセットの次の数シンボルで送信してもよい。
・ＵＬ  ＵＲＬＬＣ：ＵＥは、ＵＲＬＬＣの要件を満たすために、グラントフリー（Grant  free）伝送のためのアップリンクリソースで構成される。
【００３７】
ネットワーク側について：
・ビームフォーミングを使用するＮＲは、スタンドアローンとすることができる。すなわち、ＵＥは、ＮＲに直接キャンプオン又は接続することができる。
−  ビームフォーミングを使用するＮＲ及びビームフォーミングを使用しないＮＲは、例えば、異なるセルに共存することができる。
・ＴＲＰは、可能かつ有益であれば、データ及び制御シグナリングの送信及び受信の両方にビームフォーミングを適用する。
−  ＴＲＰによって同時に生成されるビームの数は、ＴＲＰ能力に依存し、例えば、異なるＴＲＰによって同時に生成されるビームの最大数は異なってもよい。
−  ビーム掃引が、例えば、制御シグナリングがすべての方向に提供されるようにするために必要である。
・同じセル内のＴＲＰのダウンリンクタイミングが同期化される。
・ネットワーク側のＲＲＣレイヤがＢＳ内にある。
【００３８】
ＴＲＰは、例えば、異なるＵＥ能力又はＵＥリリースにより、ＵＥビームフォーミングを有するＵＥと、ＵＥビームフォーミングを有さないＵＥの両方をサポートすべきである。
【００３９】
ＵＥ側について
・ＵＥは、可能かつ有益であれば、受信及び／又は送信のためのビームフォーミングを実行してもよい。
・ＵＥによって同時に生成されるビームの数は、ＵＥ能力に依存する。例えば、２つ以上のビームを生成することが可能である。
・例えば、ＵＥビームと呼ばれる、ＵＥによって生成されるビームは、例えば、ＴＲＰビーム又はＮＷビームと呼ばれる、ＴＲＰ、ｇＮＢ又はｅＮＢによって生成されるビームよりも広い。
・送信及び／又は受信のためのビーム掃引は、一般に、ユーザデータには必要ではないが、他のシグナリング、例えば測定を実行するために必要であることがある。
・例えば、ＵＥ能力又はＵＥビームフォーミングがＮＲの最初の（２、３の）リリースにおいてはサポートされていないことにより、すべてのＵＥがＵＥビームフォーミングをサポートするわけではない。
・１つのＵＥは同時に複数のＵＥビームを同時に生成し、同じセルの１つ以上のＴＲＰからの複数のサービングビームによって提供されることが可能である。
−  同一又は異なる（ＤＬ又はＵＬ）データを、ダイバーシティ又はスループットの利得のために異なるビームを介して同じ無線リソースで送信することができる。
・少なくとも２つのＵＥ（ＲＲＣ）状態がある：接続状態（又はアクティブ状態と呼ばれる）及び非接続状態（あるいは非アクティブ状態又はアイドル状態と呼ばれる）。非アクティブ状態は追加的な状態であってもよいし、接続状態又は非接続状態に属してもよい。
【００４０】
無線通信システムでは、ＮＷ（ネットワーク）からＵＥへのダウンリンク又はＵＥからＮＷへのアップリンクによらず、伝送方向は適切に設定される必要がある。
【００４１】
ＬＴＥには、ＴＤＤ（時分割複信）とＦＤＤ（周波数分割複信）の２つの基本フレーム構造がある。ＦＤＤの場合、ダウンリンクとアップリンクは対周波数帯域を介して分離される。一方、ＴＤＤにおける伝送方向は、異なる時間によって分離される。さらに、現在のＬＴＥ仕様の複数のＤＬ／ＵＬ設定に関して、ＮＷはＤＬ及びＵＬトラフィックに基づいて半静的に設定することができる。
【００４２】
５Ｇ  ＮＲでは、無線リソースをより効率的に利用するために、一般的には、ＮＷが現在のＤＬ／  ＵＬトラフィックに基づいて動的に伝送方向を調整できるようにする方がよい。ＬＴＥとは異なり、３ＧＰＰ  ＴＳＧ  ＲＡＮ  ＷＧ１  ＡＨ  Ｍｅｅｔｉｎｇ＃１７０１  ＲＡＮ１  Ｃｈａｉｒｍａｎ’ｓ  Ｎｏｔｅｓに基づくと、グループ共通ＰＤＣＣＨが現在のスロット及び／又はそれ以降のスロットのスロットフォーマットを指示することができる。追加的に、ＵＥ固有のＤＣＩは、スロットフォーマットを適合させるために、スロットのＤＬ／ＵＬ開始シンボル及び／又は終了シンボルを示すこともできる。言い換えると、ＵＥ固有のＤＣＩは、現在のスロット及び／又はそれ以降のスロットのスロットフォーマットを指示することができる。
【００４３】
さらに、６ＧＨｚ以上、さらには１００ＧＨｚのような高周波数帯域での伝送が５Ｇ設計では考えられている。ビームフォーミングなどの信号処理技術は、より高い周波数の搬送波帯域での送信の劇的な電力減衰を克服すると考えられている。追加的に、ＮＲセルにおけるカバレッジを考えると、複数のＴＲＰがカバレッジ問題を解決するために提案されている。ここで、各ＴＲＰは、ＮＷの分散ユニットであり、ＵＥと直接通信する。
【００４４】
グループ共通ＰＤＣＣＨの定義に基づくと、異なるグループ共通ＰＤＣＣＨは、異なるＳＦＩを示してよい。ＮＷは、異なるグループのＤＬ／ＵＬトラフィック量に基づいてスロットフォーマットを調整してよい。グループは、同じＮＷビーム、同じＴＲＰ、同じＲＮＴＩ、ＮＷビームのセットによって提供される同じエリア等の同じ特性に基づいて構築することができる。ＮＲ（Ｎｅｗ  Ｒａｄｉｏ）セル内のＵＥは、複数のＴＲＰ又は異なるビームによって提供されてもよい。したがって、ＵＥは、複数のグループに属してもよく、ＵＥは、異なるＴＲＰ又は異なるビームからの複数のグループ共通ＰＤＣＣＨの受信により異なるスロットフォーマット情報を有してもよい。また、（あるグループのための）１つのスロットフォーマットのいくつかのダウンリンクシンボルは、時間領域において（別のグループのための）別のスロットフォーマットのいくつかのアップリンクシンボルと部分的又は完全に重複してもよい。ＵＥが全二重である場合、ＵＥは、異なるスロットフォーマットに従って、ダウンリンク信号を受信し、同時にアップリンク信号を送信してもよい。しかし、半二重のＵＥ又はダウンリンク信号を受信し、同時にアップリンク信号を送信する能力を持たないＵＥを考えると、ＵＥがどのように適用するスロットフォーマットを決定するかについて検討すべきである。
【００４５】
図８は、２つの異なるスロットフォーマット情報を有する２つの異なるグループにＵＥが属する例を示す。グループ１のスロットフォーマット情報は、より長いＤＬ部分を示し、グループ２のスロットフォーマット情報は、より長いＵＬ部分を有する。
【００４６】
ＵＥは（あるセルのために）複数のスロットフォーマット情報（ＳＦＩ）で設定される。複数のＳＦＩは、同じスロット又は時間領域でオーバーラップしたスロットにおいて同じ又は異なる数のダウンリンクシンボル（及び／又はアップリンクシンボル）を示す。異なるＳＦＩは、異なるグループのためのものとすることができる。ＴＲＰのすべてのビームが１つのグループを構成することができる。それぞれの異なる（ＴＲＰ又はサービング）ビームあるいはビームグループが、１つのグループとすることができる。特定の領域を指しているビームが１つのグループを構成することができる。例えば、ＵＥは、少なくとも２つのＳＦＩで設定され、第１のＳＦＩは第１のビーム（グループ）のためのものであり、第２のＳＦＩは第２のビーム（グループ）のためのものである。少なくとも２つのＳＦＩの適用可能な期間は、部分的又は完全に重複している。
【００４７】
ＵＥは、複数のＵＥビームを有する。さらに、ＵＥは、ＵＥビーム及びＮＷビームを介してＮＷと通信する。ＮＷは、半静的構成を通じて（各グループの）スロットフォーマット情報を指示することができる。ＮＷは、ＧＣ  ＰＤＣＣＨを介して（各グループの）スロットフォーマット情報を指示することができる。ＮＷは、ＤＣＩ指示を通じて（各グループの）スロットフォーマット情報を指示することができる。
【００４８】
（同一セルのための）異なるＳＦＩは、特定のスロット又は時間領域で重複するスロットにおいて異なる数のダウンリンクシンボル（及び／又はアップリンクシンボル）を示す。特定のスロットのいくつかのシンボルは、異なるＳＦＩによって示される異なる送信方向を有してもよい。スロットのいくつかの時間領域の重複シンボルは、異なるＳＦＩによって示される異なる送信方向を有してもよい。
【００４９】
ＵＥが、第１のＳＦＩによって示される特定のスロットのダウンリンクシンボルで、ダウンリンク信号を受信する、又はダウンリンク制御信号を監視するようにスケジューリング又は設定されており（ここで、ダウンリンクシンボルは、第２のＳＦＩによって示される（その特定のスロット又は別のスロットの）アップリンクシンボルと部分的又は完全に重複してよい）、ＵＥがアップリンクシンボルでアップリンク信号を送信するようにスケジューリング（又は設定）されていない場合、ＵＥは、（アップリンクシンボルと重複する）ダウンリンクシンボルでダウンリンク信号を受信する、又はダウンリンク制御信号を監視する。第１のＳＦＩは、特定のスロットの最も長いダウンリンク部分を示すことができる。
【００５０】
例えば、図１０では、（例えば、第２のＮＷ又はＵＥビーム（グループ）のための）アップリンク方向を有するＳＦＩ２によって示されるいくつかの衝突シンボルを部分的に含み得る（例えば、第１のＮＷ又はＵＥビーム（グループ）のための）ＳＦＩ１によって示されるスロット＃ｎのダウンリンクシンボルでダウンリンク信号を受信する、又は監視機会が設定されており、ＳＦＩ２によって示される衝突シンボルでアップリンク信号を送信する必要がない場合、ＵＥは、ＳＦＩ１によって示される、スロット＃ｎのダウンリンクシンボル（の重複部分）でダウンリンク信号を受信する、又はダウンリンク制御信号を監視する。ＳＦＩ２によって示される、スロット＃ｎの衝突シンボルでのアップリンク送信がないため、ＵＥは、ダウンリンク信号又はダウンリンク制御信号のための監視機会を無視しない。
【００５１】
ＵＥが、第１のＳＦＩによって示される特定のスロットのアップリンクシンボルでアップリンク信号を送信するようにスケジューリング又は設定されており（ここで、アップリンクシンボルは、第２のＳＦＩによって示される（その特定のスロット又は別のスロットの）ダウンリンクシンボルと部分的又は完全に重複してよい）、ＵＥがダウンリンクシンボルでダウンリンク信号を受信したり、ダウンリンク制御信号を監視するようにスケジューリング（又は設定）されていない場合、ＵＥは、（ダウンリンクシンボルと重複する）アップリンクシンボルでアップリンク信号を送信する。第１のＳＦＩは、スロットの最も長いアップリンク部分を示すことができる。
【００５２】
例えば、図１１では、（例えば、第１のＮＷ又はＵＥビーム（グループ）のための）ダウンリンク方向を有するＳＦＩ１によって示される衝突シンボルを部分的に含み得る（例えば、第２のＮＷ又はＵＥビーム（グループ）のための）ＳＦＩ２によって示されるスロット＃ｎのアップリンクシンボルでアップリンク信号を送信するように設定されており、ＳＦＩ１によって示されるスロット＃ｎの衝突シンボルでのダウンリンク伝送又は設定された監視機会がない場合、ＵＥは、ＳＦＩ２によって示されるスロット＃ｎのアップリンクシンボル（の重複部分）でアップリンク信号を送信する。ＵＥは、衝突シンボルでのダウンリンク伝送があることを期待しないため、ＵＥは、アップリンク信号を無視しない。
【００５３】
ＵＥが、第１のＳＦＩによって示される特定のスロットのダウンリンクシンボルでダウンリンク信号を受信し、又はダウンリンク制御信号を監視し、第２のＳＦＩによって示されるその特定のスロット（又は別のスロット）のアップリンクシンボルでアップリンク信号を送信する（ここで、ダウンリンクシンボル及びアップリンクシンボルは時間領域において部分的又は完全に重複する）ようにスケジューリング又は設定されている場合、ＵＥは、信号の特性に基づいて、重複シンボルで信号を受信、監視、又は送信することを決定することができる。その特性は、信号の待ち時間要求を含むことができる。信号特性は、どのチャネルが信号を搬送するかを含むことができる。代替的又は追加的に、ＵＥは、信号に関連付けられたスケジューリング情報の受信タイミングに基づいて、重複シンボルでその信号を受信、監視、又は送信することを決定することができる。
【００５４】
例えば、図９では、ＵＥは、スロット＃ｎ−４でＳＦＩ２を介してスロット＃ｎのスロットフォーマットを示すＵＬグラント（UL  grant）を受信し、スロット＃ｎ−３でＳＦＩ１を介してスロット＃ｎのスロットフォーマットを示すＤＬ  ＤＣＩを受信している。１つのアプローチは、ＮＷが、ＳＦＩの後の指示を調整して、ＵＥのために前に指示されたＳＦＩに合わせる。言い換えると、後のＳＦＩによって示される第１のシンボルの送信方向は、前のＳＦＩによって示される第２のシンボルの送信方向に合わせられる。第１のシンボル及び第２のシンボルは、時間領域において部分的又は完全に重複している。第１のシンボルのスロット及び第２のシンボルのスロットは、時間領域において部分的又は完全に重複している。そこで、ＮＷが第２のシンボルの送信方向とは異なる第１のシンボルの送信方向を指示することが許容されないことを意味することができる。他のアプローチは、ＵＥがＳＦＩの後の指示に従うことである。
【００５５】
ＵＥによって以下のルールの１つ以上が適用されて、（衝突シンボルで）ダウンリンク信号を受信／監視するか、又はアップリンク信号を送信するかを決定する。
【００５６】
規則１：第１のＳＦＩによって示される特定のスロットのダウンリンクシンボルで遅延に敏感な信号のための少なくとも１つの監視機会がある（ここで、ダウンリンクシンボルは、第２のＳＦＩによって示される（その特定のスロット又は別のスロットの）アップリンクシンボルと部分的又は完全に重複し得る）場合、ＵＥは、その特定のスロットの（アップリンクシンボルと重複する）ダウンリンクシンボルで遅延に敏感な信号を監視することができる。
【００５７】
ＵＥは、アップリンクシンボルでアップリンク信号を送信するようにスケジューリング（又は設定）される。ＵＥは、（ダウンリンクシンボルと重複する）そのアップリンクシンボルでアップリンク信号を送信することができない。代替的には、ＵＥは、アップリンクシンボルでアップリンク信号を送信するようにスケジューリング（又は設定）されない。遅延に敏感な信号は、特定のヌメロロジ、特定のチャネル、ミニスロット等を介して送信される信号とすることができる。遅延に敏感な信号は、制御情報又はデータを搬送するための信号とすることができる。
【００５８】
２つより多いＳＦＩによって示されるスロットのダウンリンクシンボルに遅延に敏感な信号ために複数の監視機会がある場合、ＵＥは、そのスロットの最も長いダウンリンク部分を示す、２つのＳＦＩのうちの１つのＳＦＩを適用することができる。監視機会は、ＵＲＬＬＣ監視機会として指定される。例えば、図８では、衝突シンボルを含む、ＳＦＩ１によって示されるスロットのダウンリンクシンボルでのＵＲＬＬＣ伝送を監視するようにＵＥが設定されている場合、ＵＥは、ＳＦＩ１によって示されるスロットのダウンリンクシンボルでＵＲＬＬＣ伝送を監視する。例えば、図８では、ＵＥは、衝突シンボルを含む、ＳＦＩ２によって示されるスロットのアップリンクシンボルでアップリンク信号を送信するように設定され得るが、ＵＥは、ＳＦＩ１によって示されるスロットのダウンリンクシンボルでＵＲＬＬＣ伝送を監視することを優先する。さらに、アップリンク信号は遅延に敏感でないデータチャネル又は制御チャネルとすることができる。ダウンリンクの遅延に敏感な信号は、アップリンク信号よりも重要である。ＮＷは、ダウンリンクのＵＲＬＬＣ監視機会とは別に、アップリンクのＵＲＬＬＣのためにアップリンクリソースをスケジューリングすることができる。
【００５９】
規則２：第１のＳＦＩによって示される特定のスロットのアップリンクシンボルでの遅延に敏感な信号のために設定された少なくとも１つのアップリンクリソースがある（ここで、アップリンクシンボルは、第２のＳＦＩによって示されるダウンリンクシンボルと部分的又は完全に重複し得る）場合、ＵＥは、その特定のスロットの（ダウンリンクシンボルと重複する）アップリンクシンボルで遅延に敏感な信号を送信することができる。２つより多いＳＦＩによって示されるスロットのアップリンクシンボルに複数のアップリンクリソースがある場合、ＵＥは、そのスロットの最も長いアップリンク部分を示す、２つのＳＦＩのうちの１つのＳＦＩを適用することができる。
【００６０】
ＵＥは、ダウンリンクシンボルでダウンリンク信号を監視又は受信するようにスケジューリング（又は設定）される。ＵＥは、（アップリンクシンボルと重複する）そのダウンリンクシンボルでダウンリンク信号を監視又は受信することができない。代替的には、ＵＥは、ダウンリンクシンボルでダウンリンク信号を監視又は受信するようにスケジューリング（又は設定）されない。遅延に敏感な信号は、特定のヌメロロジ、特定のチャネル、ミニスロット等を介して送信される信号とすることができる。遅延に敏感な信号は、制御情報又はデータを搬送する信号とすることができる。
【００６１】
遅延に敏感な送信は、ＵＲＬＬＣ伝送を指す。例えば、図８では、衝突シンボルを含む、ＳＦＩ２によって示されるスロットのアップリンクシンボルでのＵＲＬＬＣ伝送のためのリソースでＵＥが設定される場合、ＵＥは、ＳＦＩ２によって示されるスロットのアップリンクシンボルで設定されたリソースを通じてＵＲＬＬＣを送信することができる。例えば、図８では、ＵＥは、ＳＦＩ１によって示されるスロットのダウンリンクシンボルでダウンリンク信号を受信するように設定され得るが、ＵＥは、ＳＦＩ２によって示されるスロットのアップリンクシンボルでアップリンクＵＲＬＬＣを送信することを優先する。さらに、ダウンリンク信号は、遅延に敏感ではない伝送のための遅延に敏感ではないデータチャネル又は制御チャネルとすることができる。、アップリンクの遅延に敏感な信号は、ダウンリンク信号よりも重要である。
【００６２】
規則３：ＵＥが、第１のＳＦＩによって示される特定のスロットのダウンリンクシンボルでＤＬ共通信号を受信するようにスケジューリング又は設定されている（ここで、ダウンリンクシンボルは、第２のＳＦＩによって示される（その特定のスロット又は別のスロットの）アップリンクシンボルと部分的に又は完全に重複し得る）場合、ＵＥは、特定のスロットの（アップリンクシンボルと重複する）ダウンリンクシンボルでＤＬ共通信号を受信することができる。ＵＥが、２つより多いＳＦＩによって示されるスロットのダウンリンクシンボルで複数のＤＬ共通信号を受信するように設定されている場合、ＵＥは、そのスロットの最も長いダウンリンク部分を示す、２つのＳＦＩのうちの１つのＳＦＩを適用することができる。
【００６３】
ＵＥは、アップリンクシンボルでアップリンク信号を送信するようにスケジューリング（又は設定）される。ＵＥは、（ダウンリンクシンボルと重複する）そのアップリンクシンボルでアップリンク信号を送信することができない。代替的には、ＵＥは、アップリンクシンボルでアップリンク信号を送信するようにスケジューリング（又は設定）されない。アップリンク信号は遅延に敏感ではない。
【００６４】
ＤＬ共通信号は、アップリンクの遅延に敏感でない信号よりも高い優先順位を有する。例えば、図８では、ＵＥは、衝突シンボルを含む、ＳＦＩ１によって示されるスロットのダウンリンクシンボルでＤＬ共通信号を受信するように設定され、衝突シンボルを含む、ＳＦＩ２によって示されるスロットのアップリンクシンボルで遅延に敏感ではないアップリンク信号を送信するように設定される。ＵＥは、ＳＦＩ１によって示されるスロットのダウンリンクシンボルでＤＬ共通信号を受信する。ＤＬ共通信号は、スケジューリングされたシステム情報を搬送するデータチャネル、スケジューリングされたページング情報を搬送するデータチャネル、又はスケジューリングされたＲＡＲ情報を搬送するデータチャネルを指すことができる。さらに、アップリンク信号は、遅延に敏感でないデータチャネル、制御チャネルとすることができる。一般に、ＤＬ共通信号は、アップリンク信号よりも重要である。
【００６５】
規則４：ＵＥが、第１のＳＦＩによって示される特定のスロットのアップリンクシンボルでアップリンク制御信号を送信するようにスケジューリング又は設定されている（ここで、アップリンクシンボルは、第２のＳＦＩによって示される（特定のスロット又は別のスロットの）ダウンリンクシンボルと部分的又は完全に重複し得る）場合、ＵＥは、その特定のスロットの（ダウンリンクシンボルと重複する）アップリンクシンボルでアップリンク制御信号を送信することができる。ＵＥが、２つより多いＳＦＩによって示されるスロットのアップリンクシンボルで制御信号を送信するように設定される場合、ＵＥは、そのスロットの最も長いアップリンク部分を示す、２つのＳＦＩのうちの１つのＳＦＩを適用することができる。
【００６６】
ＵＥは、ダウンリンクシンボルでダウンリンク信号を監視又は受信するようにスケジューリング（又は設定）されている。ＵＥは、（アップリンクシンボルと重複する）ダウンリンクシンボルでダウンリンク信号を監視又は受信することができない。代替的には、ＵＥは、ダウンリンクシンボルでダウンリンク信号を監視又は受信するようにスケジューリング（又は設定）されない。ダウンリンク信号は遅延に敏感ではない。ダウンリンク信号は、ダウンリンク共通信号ではない。ＵＬ制御信号は、ＳＲ、ＳＲＳ、ＣＳＩ、ＨＡＲＱフィードバック等とすることができる。
【００６７】
ＵＬ制御信号は、ダウンリンクの遅延に敏感ではない信号よりも高い優先順位を有する。例えば、図８では、ＵＥは、衝突シンボルを含む、ＳＦＩ２によって示されるスロットのアップリンクシンボルでＵＬ制御信号を送信するように設定され、衝突シンボルを含む、ＳＦＩ１によって示されるスロットのダウンリンクシンボルで遅延に敏感ではないダウンリンク信号を受信するように設定される。ＵＥは、ＳＦＩ２によって示されるスロットのアップリンクシンボルでＵＬ信号を送信する。さらに、ダウンリンク信号は、遅延に敏感ではない伝送のための遅延に敏感ではないデータチャネル又は制御チャネルとすることができる。ＵＬ制御信号は、ダウンリンク信号よりも重要である。
【００６８】
規則５：ＵＥが、第１のＳＦＩによって示される特定のスロットのアップリンクシンボルでアップリンクグラントを介してアップリンクデータをアップリンク制御情報と共に送信する（ここで、アップリンクシンボルは、第２のＳＦＩによって示される（その特定のスロット又は別のスロットの）ダウンリンクシンボルと部分的又は完全に重複し得る）場合、ＵＥは、特定スロットの（ダウンリンクシンボルと重複する）アップリンクシンボルでアップリンク制御情報と共にアップリンクデータを送信することができる。ＵＥが、２つより多いＳＦＩによって示されるスロットのアップリンクシンボルでアップリンクデータをアップリンク制御情報と共に送信するように設定されている場合、ＵＥは、そのスロットの最も長いアップリンク部分を示す、２つのＳＦＩのうちの１つのＳＦＩを適用することができる。
【００６９】
ＵＥは、ダウンリンクシンボルでダウンリンク信号を監視又は受信するようにスケジューリング（又は設定）される。ＵＥは、（アップリンクシンボルと重複する）ダウンリンクシンボルでダウンリンク信号を監視又は受信することができない。代替的には、ＵＥは、ダウンリンクシンボルでダウンリンク信号を監視又は受信するようにスケジューリング（又は設定）されない。ダウンリンク信号は、ダウンリンクデータとしてもよい。ダウンリンク信号は、遅延に敏感ではなく、ダウンリンク共通信号及び／又はダウンリンク制御信号である。ＵＬ制御情報は、ＳＲ（Scheduling  Request）、ＳＲＳ（Sounding  Reference  Signal）、ＣＳＩ（Channel  State  Information）、ＨＡＲＱ（Hybrid  Automatic  Repeat  Request）フィードバック等としてもよい。
【００７０】
アップリンクグラントを介して送信されるアップリンク制御信号を有するＵＬデータは、ダウンリンクの遅延に敏感ではない信号（non-delay  sensitive  signal）よりも高い優先順位を有する。
【００７１】
規則６：ＵＥが、第１のＳＦＩによって示される特定のスロットのダウンリンクシンボルでダウンリンクデータ受信のためにスケジューリング又は設定され、第２のＳＦＩによって示されるその特定のスロット（又は別のスロット）のアップリンクシンボルでアップリンクデータ送信のためにスケジューリング（又は設定）される（ここで、ダウンリンクシンボル及びアップリンクシンボルは部分的又は完全に重複し得る）場合、ＵＥは、データに関連付けられたスケジューリング情報の受信タイミングに基づいて、ダウンリンクデータを受信するか、アップリンクデータを送信するかを決定することができる。
【００７２】
ダウンリンクデータ受信に対応するスケジューリング情報の受信タイミングが、アップリンクデータ送信を示すスケジューリング情報よりも後である場合、ＵＥは、第１のＳＦＩによって示される特定のスロットのダウンリンクシンボルでダウンリンクデータを受信することができる。ＵＥは、アップリンクシンボルでアップリンクデータを送信することができない。
【００７３】
アップリンクデータ送信を示すスケジューリング情報の受信タイミングが、ダウンリンクデータ受信に対応するスケジューリング情報よりも後である場合、ＵＥは、第２のＳＦＩによって示される特定のスロット（又は別のスロット）のアップリンクシンボルでアップリンクデータを送信することができる。
【００７４】
さらに、ダウンリンクデータ受信に対応するスケジューリング情報と、アップリンクデータ送信を示すスケジューリング情報の両方の受信タイミングは、スロット＃ｎよりも早い。ダウンリンクデータ受信に対応するスケジューリング情報は、スロット＃ｎの第１のＳＦＩを示すことができる。ダウンリンクデータ受信に対応するスケジューリング情報がスロット＃ｎよりも前に受信される場合、ＵＥは、第１のＳＦＩによってスロット＃ｎのＳＦＩを知ることができる。アップリンクデータ送信を示すスケジューリング情報は、スロット＃ｎの第２のＳＦＩを示すことができる。スロット＃ｎの前に、ＵＥは、第２のＳＦＩによってスロット＃ｎのＳＦＩを知ることができる。
【００７５】
ダウンリンクデータ受信に対応するスケジューリング情報がスロット＃ｎで送信され、アップリンクデータ送信を示すスケジューリング情報がスロット＃ｎよりも前に送信される場合、ＵＥは、第２のＳＦＩにより示される特定のスロット（又は別のスロット）のアップリンクシンボルでアップリンクデータを送信することができる。ＵＥがダウンリンクデータ受信に対応するスケジューリング情報を首尾よく復号する前に、ＵＥは、第１のＳＦＩによって示される特定のスロットのダウンリンクシンボルに伝送があることを知らない。
【００７６】
規則７：ＵＥが、第１のＳＦＩによって示される特定のスロットのダウンリンクシンボルで信号を受信又は監視するようにスケジューリング又は設定され、第２のＳＦＩによって示されるその特定のスロット（又は別のスロット）のアップリンクシンボルで信号を送信するようにスケジューリング又は設定されている（ここで、ダウンリンクシンボルの終了シンボルインデックスが、アップリンクシンボルの開始シンボルインデックスよりも小さい）場合、ＵＥは、ダウンリンクシンボルのまさに終了シンボルまでは、ダウンリンクシンボルで信号を受信する、又は信号を監視し、アップリンクシンボルのまさに開始シンボルからアップリンクシンボルで信号を送信する。
【００７７】
ＵＥが、第１のＳＦＩによって示される特定のスロットのダウンリンクシンボルで信号を受信する、又は信号を監視するようにスケジューリング又は設定され、第２のＳＦＩによって示されるその特定のスロット（又は別のスロット）のアップリンクシンボルで信号を送信するようにスケジューリング又は設定されている（ここで、アップリンクシンボルの終了シンボルインデックスが、ダウンリンクシンボルの開始シンボルインデックスよりも小さい）場合、ＵＥは、アップリンクシンボルのまさに終了シンボルまでは、アップリンクシンボルで信号を送信し、ダウンリンクシンボルのまさに開始シンボルからダウンリンクシンボルで信号を受信する、又は信号を監視する。
【００７８】
例えば、図１２では、ＵＥは、ＳＦＩ１によって示されるスロット＃ｎの衝突シンボルを含むダウンリンクシンボルでダウンリンク信号を受信する、又は信号を監視するように設定され、ＳＦＩ２によって示されるスロット＃ｎの衝突シンボルを含むアップリンクシンボルで信号を送信するように設定されている。ダウンリンクシンボルの終了シンボルのシンボルインデックスがアップリンクシンボルの開始シンボルのシンボルインデックスよりも小さい場合、ＵＥは、終了シンボルまではダウンリンクシンボルで信号を受信し、又は信号を監視し、開始シンボルからアップリンクシンボルで信号を送信する。
【００７９】
例えば、ＵＥは、少なくとも信号の優先順位に基づいて、重複シンボルにおいてダウンリンク信号受信又はアップリンク信号送信を実行するかどうかを決定する。以下の優先順位規則の１つ以上を適用してもよい（特定の規則の組み合わせが可能である）。
・遅延に敏感な制御信号は、遅延に敏感ではない制御信号及びデータよりも優先される。
・遅延に敏感なデータ信号は、遅延に敏感ではない制御信号及びデータよりも優先される。
・制御信号はデータよりも優先される。
・共通制御信号は専用制御信号よりも優先される。
・ＤＬ制御信号は、ＵＬ制御信号よりも優先される。
・制御情報を有するデータは、データよりも優先される。
【００８０】
図１３は、ネットワークノードの観点からの例示的な一実施形態によるフローチャート１３００である。ステップ１３０５では、ネットワークノードは、第１のＳＦＩをＵＥに送信する。第１のＳＦＩは、第１のスロットセットのシンボルの送信方向を示す。ステップ１３１０では、ネットワークノードは、グループ共通ＰＤＣＣＨによって搬送される第２のＳＦＩをＵＥに送信する。第２のＳＦＩは、第２のスロットセットのシンボルの送信方向を示す。第１のスロットセット及び第２のスロットセットが時間領域において部分的に重複し、第２のＳＦＩが第１のＳＦＩの後に送信される場合、第２のＳＦＩによって示される重複シンボルの送信方向は、第１のＳＦＩによって示される重複シンボルの送信方向に合わせられる。
【００８１】
一実施形態では、第１のＳＦＩ及び第２のＳＦＩは、異なるビーム又は異なる送受信ポイント（ＴＲＰ）を介して送信することができる。第１のＳＦＩ及び第２のＳＦＩは、異なるビームのためのもの及び／又は同じセルのためのものとすることができる。代替的には、第１のＳＦＩ及び第２のＳＦＩは、コンポーネントキャリアベースごと、ヌメロロジベースごと、又は帯域幅部分ベースごとに指示することができる。
【００８２】
一実施形態では、セルは、ＦＤＤ（周波数分割複信）又は対スペクトルで動作することができる。
【００８３】
一実施形態では、シンボルの送信方向は、ダウンリンク、アップリンク、又はフレキシブル（flexible）として指示することができる。代替的は、シンボルの送信方向は、ダウンリンク、アップリンク、不明（unknown）、空（empty）、ギャップ（gap）、その他、又はフレキシブルとして指示することができる。代替的には、第２のＳＦＩにより示される重複シンボルの送信方向は、第１のＳＦＩにより示される重複シンボルの送信方向と異なることが許容されない。
【００８４】
一実施形態では、第１のＳＦＩは、グループ共通ＰＤＣＣＨによって、又はＵＥ固有のダウンリンク制御情報（ＤＣＩ）によって搬送することができる。
【００８５】
一実施形態では、第１のＳＦＩ及び第２のＳＦＩは、コンポーネントキャリアごと、ヌメロロジベースごと、又は帯域幅ベースごとに指示することができる。
【００８６】
図３及び図４に戻って参照すると、ネットワークノードの例示的な一実施形態では、デバイス３００は、メモリ３１０に記憶されたプログラムコード３１２を含む。ＣＰＵ３０８は、プログラムコード３１２を実行して、ネットワークノードが、（ｉ）第１のＳＦＩをＵＥに送信することであって、第１のＳＦＩは、第１のスロットセットのシンボルの送信方向を示す、送信することと、（ｉｉ）グループ共通ＰＤＣＣＨによって搬送される第２のＳＦＩをＵＥに送信することであって、第２のＳＦＩは、第２のスロットセットのシンボルの送信方向を示す、送信することとを、行うことを可能にし、第１のスロットセットのシンボルと第２のスロットセットのシンボルが時間領域において部分的に重複し、第２のＳＦＩが第１のＳＦＩよりも後に送信される場合、第２のＳＦＩによって示される重複シンボルの送信方向は、第１のＳＦＩによって示される重複シンボルの送信方向に合わせられる。さらに、ＣＰＵ３０８は、プログラムコード３１２を実行して、上記に説明した動作及びステップ又は本明細書で説明した他のすべてを実行することができる。
【００８７】
図１４は、ＵＥの例示的な一実施形態によるフローチャート１４００である。ステップ１４０５では、ＵＥは、少なくとも第１のＳＦＩ及び第２のＳＦＩで設定される。第１のＳＦＩ及び第２のＳＦＩは、スロットの異なるＳＦＩを示す。ステップ１４１０では、ＵＥは、スロットの衝突シンボルでＵＥのチャネル受信又は送信があるかどうかに基づいて、スロットの衝突シンボルの送信方向を決定する。スロットの衝突シンボルは、第１のＳＦＩ及び第２のＳＦＩによって示された異なる送信方向を有するシンボルである。
【００８８】
一実施形態では、ＵＥが第１のＳＦＩによって示されるスロットの衝突シンボルでチャネル受信又は送信を有し、第２のＳＦＩによって示されるスロットの衝突シンボルでのチャネル利用がない場合、衝突シンボルを含み得る、第１のＳＦＩによって示されるスロットのシンボルで信号を受信又は送信することができる。
【００８９】
一実施形態では、第１のＳＦＩは、設定されたＳＦＩのうちスロットの最も長いＤＬ部分を示すことができる。第２のＳＦＩも、設定されたＳＦＩのうちスロットの最も長いＵＬ部分を示すことができる。
【００９０】
一実施形態では、スロットの衝突シンボルでチャネル受信又は送信を示す制御信号がそのスロットにおいて送信される場合、ＵＥは、スロットの衝突シンボルの送信方向を決定するときに、スロットの衝突シンボルでのチャネル受信又は送信がないことを考えることができる。代替的には、ＵＥが、第１のＳＦＩと第２のＳＦＩの両方によって示されるスロットの衝突シンボルでのチャネル受信及び送信があると考える場合、ＵＥは、規則に基づいて、スロットの衝突シンボルの送信方向を決定することができる。
【００９１】
一実施形態では、第１の規則は、第１のＳＦＩによって示されるスロットの衝突シンボルでのチャネル受信又は送信が遅延に敏感である場合に、ＵＥは第１のＳＦＩに基づいて遅延に敏感な信号を受信又は送信することである。遅延に敏感な送信又は受信は、ＵＲＬＬＣ伝送を指すことができる。代替的は、遅延に敏感なチャネル受信は、ＵＥによって監視されるように設定された衝突スロットでのチャネルを含むことができる。
【００９２】
一実施形態では、第２の規則は、第１のＳＦＩによって示されるスロットの衝突シンボルでのチャネル受信が共通スケジューリング信号を搬送する場合、ＵＥは、第１のＳＦＩに基づいて共通スケジューリング信号を受信することができるということである。
【００９３】
一実施形態では、第３の規則は、第２のＳＦＩによって示されるスロットの衝突シンボルでのチャネル送信が制御信号を搬送する場合、ＵＥは、第２のＳＦＩに基づいてアップリンク信号を送信することができるということである。
【００９４】
一実施形態では、第４の規則は、第２のＳＦＩによって示されるスロットの衝突シンボルでのチャネル送信が、アップリンク制御信号を有するアップリンクグラントによってスケジュールされたデータチャネルである場合、ＵＥは、第２のＳＦＩに基づいてアップリンクグラントによるアップリンク制御信号を有するアップリンクデータを送信することができるということである。
【００９５】
一実施形態では、第５の規則は、第１のＳＦＩによって示されるスロットの衝突シンボルでのチャネル受信が、第１のダウンリンク制御信号によってスケジューリングされたデータチャネルであり、第２のＳＦＩによって示されるスロットの衝突シンボルでのチャネル送信が、第２のダウンリンク制御信号によってスケジューリングされたデータチャネルである場合、ＵＥは、第１のダウンリンク制御信号及び第２のダウンリンク信号の受信タイミングに基づいて、スロットの衝突シンボルの送信方向を決定することができるということである。代替的は、第１のダウンリンク制御信号が第２のダウンリンク制御信号よりも後に受信される場合、ＵＥは、第１のＳＦＩに基づいてデータチャネルを受信することができる。第２のダウンリンク制御信号が第１のダウンリンク制御信号よりも後に受信される場合、ＵＥは第２のＳＦＩに基づいてデータチャネルを送信することができる。
【００９６】
一実施形態では、規則の優先順位は、規則の順番通りであり、第１の規則が最も高い優先順位を有する。
【００９７】
一実施形態では、チャネル受信が、第１のＳＦＩによって示されるスロットの衝突シンボルを含むダウンリンクシンボルで送信され、チャネル送信が、第２のＳＦＩによって示されるスロットの衝突シンボルを含むアップリンクシンボルで送信され、ダウンリンクシンボルの終了シンボルのシンボルインデックスがアップリンクシンボルの開始シンボルのシンボルインデックスより小さい場合、ＵＥは、終了シンボルの終了までチャネル受信を行い、開始シンボルからチャネル送信をとることができる。
【００９８】
図３及び図４に戻って参照すると、ＵＥの例示的な一実施形態では、デバイス３００は、メモリ３１０に記憶されたプログラムコード３１２を含む。ＣＰＵ３０８は、プログラムコード３１２を実行して、ＵＥが（ｉ）少なくとも第１のＳＦＩ及び第２のＳＦＩで設定されることであって、第１のＳＦＩ及び第２のＳＦＩはスロットの異なるＳＦＩを示す、設定されることと、（ｉｉ）スロットの衝突シンボルでＵＥのチャネル受信又は送信があるかどうかに基づいて、スロットの衝突シンボルの送信方向を決定することであって、スロットの衝突シンボルは、第１のＳＦＩ及び第２のＳＦＩによって示される異なる送信方向を示すシンボルである、決定することと、を行うことを可能にすることができる。さらに、ＣＰＵ３０８は、プログラムコード３１２を実行して、本明細書で説明した上記の動作及びステップ又は本明細書で説明した他のすべてを実行することができる。
【００９９】
以上、本開示の種々の態様を説明した。当然のことながら、本明細書の教示内容を多種多様な形態で具現化してよく、本明細書に開示されている如何なる特定の構造、機能、又は両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加又は代替で、他の構造、機能、又は構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様においては、パルス位置又はオフセットに基づいて、同時チャネルが確立されてよい。いくつかの態様においては、時間ホッピングシーケンスに基づいて、同時チャネルが確立されてよい。いくつかの態様において、パルス繰り返し周波数、パルス位置又はオフセット、及び時間ホッピングシーケンスに基づいて、同時チャネルが確立されてよい。
【０１００】
当業者であれば、多様な異なるテクノロジ及び技術のいずれかを使用して、情報及び信号を表わしてよいを理解するであろう。例えば、上記説明全体で言及されることがあるデータ、命令、コマンド、情報、信号、ビット、シンボル、及びチップは、電圧、電流、電磁波、磁場若しくは粒子、光場若しくは粒子、又はこれらの任意の組合せによって表わしてよい。
【０１０１】
さらに、当業者には当然のことながら、本明細書に開示された態様に関連して説明した種々の例示的な論理ブロック、モジュール、プロセッサ、手段、回路、及びアルゴリズムステップは、電子的ハードウェア（例えば、ソースコーディング又はその他何らかの技術を用いて設計することがあるデジタル実装、アナログ実装、又はこれら２つの組合せ）、命令を含む種々の形態のプログラム若しくは設計コード（本明細書においては便宜上、「ソフトウェア」又は「ソフトウェアモジュール」と称されることがある）、又は両者の組合せとして実装されてよい。このハードウェア及びソフトウェアの互換性を明確に示すため、種々の例示的な構成要素、ブロック、モジュール、回路、及びステップを、概略的にそれぞれの機能の側面から上述した。そのような機能がハードウェアとして実装されるか、ソフトウェアとして実装されるかは、特定用途及びシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０１０２】
追加的に、本明細書に開示される態様に関連して説明した種々の例示的な論理ブロック、モジュール、及び回路は、集積回路（「ＩＣ」）、アクセス端末、又はアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、又は本明細書で説明した機能を実行するように設計されたこれらの任意の組合せを含み、ＩＣ内、ＩＣ外、又はその両方に存在するコード又は命令を実行してよい。汎用プロセッサは、マイクロプロセッサとしてよいが、代替として、プロセッサは、従来の任意のプロセッサ、コントローラ、マイクロコントローラ、又は状態機械としてよい。また、プロセッサは、ＤＳＰとマイクロプロセッサとの組合せ、複数のマイクロプロセッサ、ＤＳＰコアと協働する１つ以上のマイクロプロセッサ、又はその他任意のこのような構成である、コンピュータデバイスの組合せとして実装されてよい。
【０１０３】
任意の開示プロセスにおけるステップの如何なる特定の順序又は階層は、実例的な手法の一例であることが了解される。設計の選好に基づいて、プロセスにおけるステップの特定の順序又は階層を、本開示の範囲内に留まりつつ、再構成してよいことが了解される。添付の方法の請求項は、種々のステップの要素を実例的な順序で示しており、提示の特定順序又は階層に限定されることを意図していない。
【０１０４】
本明細書に開示される態様に関連して記載された方法又はアルゴリズムのステップを、ハードウェアにおいて直接具現化してよく、プロセッサにより実行されるソフトウェアモジュールにおいて具現化してよく、これら２つの組合せにおいて具現化してよい。（例えば、実行可能な命令及び関連するデータを含む）ソフトウェアモジュール及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、又は当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出し及び記憶媒体への情報の書き込みが可能である。実例的な記憶媒体は、プロセッサと一体化されてよい。プロセッサ及び記憶媒体は、ＡＳＩＣに存在してよい。ＡＳＩＣは、ユーザ機器に存在していてもよい。代替として、プロセッサ及び記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０１０５】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、又は適応を網羅することを意図している。
【図１】
2019036951.tif 000018
【図２】
2019036951.tif 000019
【図３】
2019036951.tif 000020
【図４】
2019036951.tif 000021
【図５】
2019036951.tif 000022
【図６】
2019036951.tif 000023
【図７】
2019036951.tif 000024
【図８】
2019036951.tif 000025
【図９】
2019036951.tif 000026
【図１０】
2019036951.tif 000027
【図１１】
2019036951.tif 000028
【図１２】
2019036951.tif 000029
【図１３】
2019036951.tif 000030
【図１４】
2019036951.tif 000031
【外国語明細書】
2019036951000001.pdf